(57)【要約】      （修正有）【課題】不使用時等において、スライダを鋼製棚や鋼製作業台等の金属鋼材に磁着しておくことができ、誤って作業者に踏まれたり、落としたことによる不測の折損や欠損を防ぎ、さらに取り扱い性を向上することができ、しかもスライダを永久磁石により磁着することにより、他の作業の邪魔にならず、作業性が向上する合成樹脂製ノギスを提供する。【解決手段】合成樹脂製の本尺１に合成樹脂製のスライダ２を長手方向に摺動自在に設け、本尺に一方の測定ジョー３を設け、スライダに一方の測定ジョーとともに被測定物に当接される他方の測定ジョー４を設け、本尺に本尺目盛５を設け、スライダにバーニヤ目盛６を設けてなり、スライダに永久磁石８を配設してなる。【選択図】図１
0003184265.tif 000002
【実用新案登録請求の範囲】
【請求項１】
合成樹脂製の本尺に合成樹脂製のスライダを長手方向に摺動自在に設け、該本尺に一方の測定ジョーを設け、該スライダに該一方の測定ジョーとともに被測定物に当接される他方の測定ジョーを設け、該本尺に本尺目盛を設け、該スライダにバーニヤ目盛を設けてなり、上記スライダに永久磁石を配設してなることを特徴とする合成樹脂製ノギス。
【請求項２】
合成樹脂製の本尺に合成樹脂製のスライダを長手方向に摺動自在に設け、該本尺に一方の測定ジョーを設け、該スライダに該一方の測定ジョーとともに被測定物に当接される他方の測定ジョーを設け、該本尺に本尺目盛を設け、該スライダにバーニヤ目盛を設けてなり、上記本尺に永久磁石を配設してなることを特徴とする合成樹脂製ノギス。
【請求項３】
合成樹脂製の本尺に合成樹脂製のスライダを長手方向に摺動自在に設け、該本尺に一方の測定ジョーを設け、該スライダに該一方の測定ジョーとともに被測定物に当接される他方の測定ジョーを設け、該本尺に本尺目盛を設け、該スライダにバーニヤ目盛を設けてなり、上記スライダ及び上記本尺に永久磁石を配設してなることを特徴とする合成樹脂製ノギス。
【請求項４】
上記永久磁石は希土類磁石であることを特徴とする請求項１〜３のいずれか１項に記載の合成樹脂製ノギス。
【請求項５】
上記永久磁石はネオジム磁石であることを特徴とする請求項４記載の合成樹脂製ノギス。
【請求項６】
上記本尺にストラップ用穴を形成してなることを特徴とする請求項１〜５のいずれか１項に記載の合成樹脂製ノギス。
【考案の詳細な説明】
【技術分野】
【０００１】
本考案は長さ測定器としての合成樹脂製ノギスに関するものである。
【背景技術】
【０００２】
従来この種の合成樹脂製ノギスとして、合成樹脂製の本尺に合成樹脂製のスライダを長手方向に摺動自在に設け、本尺に一方の測定ジョーを設け、スライダに一方の測定ジョーとともに被測定物に当接される他方の測定ジョーを設け、本尺に本尺目盛を設け、スライダにバーニヤ目盛を設けてなる構造のものが知られている。
【先行技術文献】
【特許文献】
【０００３】
【特許文献１】特開昭５８−１１５３０１号公報
【考案の概要】
【考案が解決しようとする課題】
【０００４】
しかしながら上記従来構造の場合、合成樹脂製ノギスは金属製ノギスに比較して遙かに軽量であって測定精度においてもそれほど遜色はないものの、機械的強度の面から取り扱いに慎重を要する必要があるという不都合を有している。
【課題を解決するための手段】
【０００５】
本考案はこれらの不都合を解決することを目的とするもので、本考案のうちで、請求項１記載の考案は、合成樹脂製の本尺に合成樹脂製のスライダを長手方向に摺動自在に設け、該本尺に一方の測定ジョーを設け、該スライダに該一方の測定ジョーとともに被測定物に当接される他方の測定ジョーを設け、該本尺に本尺目盛を設け、該スライダにバーニヤ目盛を設けてなり、上記スライダに永久磁石を配設してなることを特徴とする合成樹脂製ノギスにある。
【０００６】
又、請求項２記載の考案は、合成樹脂製の本尺に合成樹脂製のスライダを長手方向に摺動自在に設け、該本尺に一方の測定ジョーを設け、該スライダに該一方の測定ジョーとともに被測定物に当接される他方の測定ジョーを設け、該本尺に本尺目盛を設け、該スライダにバーニヤ目盛を設けてなり、上記本尺に永久磁石を配設してなることを特徴とする合成樹脂製ノギスにある。
【０００７】
又、請求項３記載の考案は、合成樹脂製の本尺に合成樹脂製のスライダを長手方向に摺動自在に設け、該本尺に一方の測定ジョーを設け、該スライダに該一方の測定ジョーとともに被測定物に当接される他方の測定ジョーを設け、該本尺に本尺目盛を設け、該スライダにバーニヤ目盛を設けてなり、上記スライダ及び上記本尺に永久磁石を配設してなることを特徴とする合成樹脂製ノギスにある。
【０００８】
又、請求項４記載の考案は、上記永久磁石は希土類磁石であることを特徴とするものであり、又、請求項５記載の考案は、上記永久磁石はネオジム磁石であることを特徴とするものであり、又、請求項６記載の考案は、上記本尺にストラップ用穴を形成してなることを特徴とするものである。
【考案の効果】
【０００９】
本考案は上述の如く、請求項１記載の考案にあっては、不使用時等において、スライダを鋼製棚や鋼製作業台等の金属鋼材に磁着しておくことができ、誤って合成樹脂製ノギスを作業者に踏まれたり、誤って合成樹脂製ノギスを落としてしまったことによる不測の折損や欠損を防ぐことができ、合成樹脂製ノギスの取り扱い性を向上することができ、しかも、スライダを永久磁石により磁着しておくことにより、合成樹脂製ノギスが他の作業の邪魔になることもなく、作業性を向上することができる。
【００１０】
又、請求項２記載の考案にあっては、上記本尺に永久磁石が配設されていることにより、不使用時等において、本尺を鋼製棚や鋼製作業台等の金属鋼材に磁着しておくことができ、誤って合成樹脂製ノギスを作業者に踏まれたり、誤って合成樹脂製ノギスを落としてしまったことによる不測の折損や欠損を防ぐことができ、合成樹脂製ノギスの取り扱い性を向上することができ、しかも、本尺を永久磁石により磁着しておくことにより、合成樹脂製ノギスが他の作業の邪魔になることもなく、作業性を向上することができる。
【００１１】
又、請求項３記載の考案にあっては、上記スライダ及び本尺に永久磁石が配設されていることにより、不使用時等において、スライダ及び本尺を鋼製棚や鋼製作業台等の金属鋼材に磁着しておくことができ、誤って合成樹脂製ノギスを作業者に踏まれたり、誤って合成樹脂製ノギスを落としてしまったことによる不測の折損や欠損を防ぐことができ、合成樹脂製ノギスの取り扱い性を向上することができ、しかも、スライダ及び本尺を永久磁石により磁着しておくことにより、合成樹脂製ノギスが他の作業の邪魔になることもなく、作業性を向上することができる。
【００１２】
又、請求項４記載の考案にあっては、上記永久磁石は希土類磁石であるから、残留磁束密度と保磁力が強力な磁石を得ることができ、又、請求項５記載の考案にあっては、上記永久磁石はネオジム磁石であるから、極めて高い磁気特性を得ることができると共に割れや欠けが少なく、機械的強度に優れた磁石を得ることができ、又、請求項６記載の考案にあっては、上記本尺にストラップ用穴を形成しているから、ストラップ用穴に各種のストラップを止着することができ、非作業時や保管時において、合成樹脂製ノギスの持ち運びの利便性を向上することができる。
【図面の簡単な説明】
【００１３】
【図１】本考案の実施の第一形態例の斜視図である。
【図２】本考案の実施の第一形態例の正面図である。
【図３】本考案の実施の第一形態例の背面図である。
【図４】本考案の実施の第一形態例の側面図である。
【図５】本考案の実施の第一形態例の使用状態図である。
【図６】本考案の実施の第二形態例の背面図である。
【図７】本考案の実施の第三形態例の背面図である。
【考案を実施するための形態】
【００１４】
図１乃至図７は本考案の実施の形態例を示し、図１乃至図５は第一形態例、図６は第二形態例、図７は第三形態例である。
【００１５】
図１乃至図５の第一形態例において、１は本尺、２はスライダであって、本尺１及びスライダ２はいずれも合成樹脂により製作され、本尺１にスライダ２を摺動機構Ｋにより長手方向に摺動自在に設け、本尺１に一方の測定ジョー３を設け、スライダ２に一方の測定ジョー３とともに被測定物に当接される他方の測定ジョー４を設け、本尺１に本尺目盛５を設け、この場合、本尺目盛５は下側本尺目盛５ａ及び上側本尺目盛５ｂからなり、本尺１の下辺部に下側本尺目盛５ａを設けると共に本尺１の上辺部に上側本尺目盛５ｂを設け、スライダ２に下側本尺目盛５ａに対向してバーニヤ目盛６を設けると共に上側本尺目盛５ｂに対向して基線７を設け、これにより合成樹脂製ノギスＭを構成している。なお、上記合成樹脂として、この場合、ポリカーボネート樹脂を用いている。
【００１６】
この場合、上記摺動機構Ｋとして、上記本尺１の長尺部分１ａの上端面及び下端面を三角凸条部１ｂ・１ｂに形成し、スライダ２に三角凹条部２ａ・２ａを形成し、三角凸条部１ｂ・１ｂと三角凹条部２ａ・２ａとにより本尺１にスライダ２を長手方向に摺動自在に設けている。
【００１７】
又、この場合、上記本尺１の裏面に長手方向に凹状溝部１ｃを形成し、スライダ２に凹状溝部１ｃ内を摺動するデプスバー２ｂを設け、デプスバー２ｂにより長尺部分１ａの端部からの穴の深さ等を測定可能に構成しており、又、上記本尺１及びスライダ２にそれぞれ内径測定用の対向一対のジョー１ｄ・２ｃを設けて構成している。
【００１８】
８は永久磁石であって、この場合、図１、図２の如く、上記スライダ２の裏面下部に埋込状態で配設されており、又、この場合、上記永久磁石８は希土類磁石が用いられ、しかも、この場合、上記永久磁石８は、希土類磁石としてのネオジム磁石が用いられている。
【００１９】
９はストラップ用穴であって、この場合、ボールチェーンや合成樹脂製紐等の吊下用のストラップを止着可能な穴となっている。
【００２０】
この実施の第一形態例は上記構成であるから、上記スライダ２に永久磁石８が配設されていることにより、不使用時等において、スライダ２を鋼製棚や鋼製作業台等の金属鋼材Ｓに磁着しておくことができ、誤って合成樹脂製ノギスＭを作業者に踏まれたり、誤って合成樹脂製ノギスＭを落としてしまったことによる不測の折損や欠損を防ぐことができ、合成樹脂製ノギスＭの取り扱い性を向上することができ、しかも、スライダ２を永久磁石８により磁着しておくことにより、合成樹脂製ノギスＭが他の作業の邪魔になることもなく、作業性を向上することができる。
【００２１】
この場合、上記永久磁石８は希土類磁石であるから、残留磁束密度と保磁力が強力な磁石を得ることができ、又、この場合、上記永久磁石８はネオジム磁石であるから、極めて高い磁気特性を得ることができると共に割れや欠けが少なく、機械的強度に優れた磁石を得ることができる。
【００２２】
又、この場合、上記本尺１にストラップ用穴９を形成しているから、ストラップ用穴９に各種のストラップを止着することができ、非作業時や保管時において、合成樹脂製ノギスＭの持ち運びの利便性を向上することができる。
【００２３】
図６の第二形態例は別例構造を示し、この場合、上記永久磁石８を本尺１に埋め込み状態二個で配設している。
【００２４】
この第二形態例は上記構成であるから、不使用時等において、本尺１を鋼製棚や鋼製作業台等の金属鋼材Ｓに磁着しておくことができ、誤って合成樹脂製ノギスＭを作業者に踏まれたり、誤って合成樹脂製ノギスＭを落としてしまったことによる不測の折損や欠損を防ぐことができ、合成樹脂製ノギスＭの取り扱い性を向上することができ、しかも、本尺１を永久磁石８により磁着しておくことにより、合成樹脂製ノギスＭが他の作業の邪魔になることもなく、作業性を向上することができる。
【００２５】
図７の第三形態例は別例構造を示し、この場合、上記スライダ２及び上記本尺１に計三個の永久磁石８・８・８を配設している。
【００２６】
この実施の第三形態例は上記構成であるから、不使用時等において、スライダ２及び本尺１を鋼製棚や鋼製作業台等の金属鋼材Ｓに磁着しておくことができ、誤って合成樹脂製ノギスＭを作業者に踏まれたり、誤って合成樹脂製ノギスＭを落としてしまったことによる不測の折損や欠損を防ぐことができ、合成樹脂製ノギスＭの取り扱い性を向上することができ、しかも、スライダ２及び本尺１を永久磁石８により磁着しておくことにより、合成樹脂製ノギスＭが他の作業の邪魔になることもなく、作業性を向上することができる。
【００２７】
尚、本考案は上記実施の形態例に限られるものではなく、合成樹脂の材質、本尺１、スライダ２、一方の測定ジョー３、他方の測定ジョー４の形状、本尺目盛５及びバーニヤ目盛６の形態、永久磁石８の材質等は適宜設計して変更されるものである。
【００２８】
以上、所期の目的を充分達成することができる。
【符号の説明】
【００２９】
Ｍ    合成樹脂製ノギス
１    本尺
２    スライダ
３    一方の測定ジョー
４    他方の測定ジョー
５    本尺目盛
６    バーニヤ目盛
８    永久磁石
９    ストラップ用穴
【図１】
0003184265.tif 000003
【図２】
0003184265.tif 000004
【図３】
0003184265.tif 000005
【図４】
0003184265.tif 000006
【図５】
0003184265.tif 000007
【図６】
0003184265.tif 000008
【図７】
0003184265.tif 000009